(57)【要約】【課題】  従来よりも一段と使い勝手を向上し得るかみそりを提案することにある。【解決手段】  刃ホルダ４と接合部3とに枠９の短辺部７及び８をそれぞれ設けるようにしたことにより、枠９によって皮膚面50を伸ばしながら引きそり及び押しそりを容易に行うができ、また、この枠９を回動させても、枠９が柄２に当たることがないため、引きそり及び押しそりを行うときに枠９が皮膚面50と当たらない刃ホルダ４の他側部4Bまで枠９を回動できるので、刃ホルダ４の他側部4Bに枠９を位置させることにより、枠９の角度調節や柄２を握持する手を持ち替えることなく片手だけで引きそり及び押しそりを確実に行うことができ、かくして従来よりも一段と使い勝手を向上し得る。【選択図】        図１
2006130025.tif 000002
【特許請求の範囲】
【請求項１】
柄と、該柄の先端に接合部を介して設けられた刃ホルダと、該刃ホルダの長手方向の一側部に設けられる刃と、長辺部と該長辺部の両端に設けた短辺部とによりほぼコ字状に形成され、前記長辺部の一端の前記短辺部が前記刃ホルダの先端に回動自在に設けられているとともに、前記長辺部の他端の前記短辺部が前記接合部に回動自在に設けられ、前記長辺部が前記刃の刃先に沿ってほぼ平行に設けられた枠とを備えることを特徴するかみそり。
【請求項２】
前記接合部における前記刃ホルダと前記枠の他端との間に設けられ、弾性力によって前記枠を前記柄側に押す係止用弾性手段と、前記枠が前記刃ホルダの一側部側に位置したときに、前記弾性力により前記刃ホルダの一側部側で前記枠を係止する第１の係止手段と、前記枠が前記刃ホルダの他側部側に位置したときに、前記弾性力により前記刃ホルダの他側部側で前記枠を係止する第２の係止手段とを備えることを特徴とする請求項１記載のかみそり。
【請求項３】
前記刃ホルダは、第１のホルダ部と、該第１のホルダ部に連結する第２のホルダ部とで構成されており、前記刃は、前記第１のホルダ部と前記第２のホルダ部との間に着脱自在に設けられたことを特徴とする請求項１又は２記載のかみそり。
【請求項４】
前記第１の係止手段は、前記柄の先端に設けられており、前記刃に対して所定の角度で外方に延びる第１の溝部と、前記刃に対して前記第１の溝部と対称な角度で外方に延びる第２の溝部とで構成され、前記枠の他端には、前記第１及び第２の溝部に係止可能な係止突起部を備えることを特徴とする請求項２記載のかみそり。
【請求項５】
前記刃ホルダは、前記第１のホルダ部にヒンジ部を介して前記第２のホルダ部が連結され、前記ヒンジ部を介して前記刃ホルダの一側部が開閉自在に構成されており、前記第１のホルダ部及び前記第２のホルダ部の間には、前記ヒンジ部と前記刃ホルダの他側部との間に弾性部材が配置され、該弾性部材の弾性力により前記第１のホルダと前記第２のホルダとの一側部で前記刃を挟持することを特徴とする請求項３記載のかみそり。
【請求項６】
前記刃ホルダ及び前記接合部を有するホルダ部材と、該ホルダ部材を前記柄に対して回動自在に軸支する回動支持部とを備えることを特徴とする請求項１乃至５のうちいずれか１項記載のかみそり。
【発明の詳細な説明】
【技術分野】
【０００１】
この発明は、かみそりに関し、例えば、かみそりを使用者の手前に引き刃先で皮膚面の毛を剃る、いわゆる引きそりや、かみそりを使用者から離れるように押し刃先で皮膚面の毛を剃る、いわゆる押しそりを行うかみそりに適用して好適なものである。
【背景技術】
【０００２】
従来、実開昭４８−７０８９６号公報に記載されたかみそりのように、刃先前方付近に、この刃先に沿うようにコ字状の枠を設け、刃先に加えて、この枠を使用者の皮膚面に当て皮膚面を伸ばしながら引きそりなどを行い、凹凸した皮膚面であっても確実に毛だけを剃れるようなものが考えられている（特許文献１参照）。
【０００３】
実際上、かかる構成のかみそりでは、枠がねじによって刃ホルダとしての主体に止着されており、このねじを緩めることによって、刃先に対する枠の角度を調整し得、再びねじを締めることにより、刃先に対して枠を所望の角度に設定し得るようになされている。
【０００４】
かくして、このかみそりでは、刃先と枠とを同時に使用者の皮膚面に当てながら引きそりなどを行えるように枠の角度を設定できる他、枠を刃先前方付近からずらすことにより、枠を用いずに通常のかみそりとしても使用し得るようになされている。
【特許文献１】実開昭４８−７０８９６号公報
【発明の開示】
【発明が解決しようとする課題】
【０００５】
ところが、かかる構成のかみそりでは、枠の一端が刃先と柄との間で主体に直接止着されていることにより、通常のかみそりとして使用するために、枠を回動させていくと、枠が柄に当たるため、刃先に対向する峰部側に枠を位置させることができない。
【０００６】
このため、このようなかみそりでは、例えば通常のかみそりのように引きそりができるように枠を設定できるものの、この状態で使用者がかみそりを反転させて押しそりを行おうとすると、枠が皮膚面に当たることから押しそりを行えず、このため、通常のかみそりのように押しそりを行うには再び枠の角度調節を行うか、或いは柄を握持している手をその都度持ち替える必要があり、使い勝手が悪いという問題があった。
【０００７】
そこで、本発明は以上の点を考慮してなされたもので、従来よりも一段と使い勝手を向上し得るかみそりを提案しようとするものである。
【課題を解決するための手段】
【０００８】
本発明の請求項１では、柄と、該柄の先端に接合部を介して設けられた刃ホルダと、該刃ホルダの長手方向の一側部に設けられる刃と、長辺部と該長辺部の両端に設けた短辺部とによりほぼコ字状に形成され、前記長辺部の一端の前記短辺部が前記刃ホルダの先端に回動自在に設けられているとともに、前記長辺部の他端の前記短辺部が前記接合部に回動自在に設けられ、前記長辺部が前記刃の刃先に沿ってほぼ平行に設けられた枠とを備えるようにした。
【０００９】
本発明の請求項２では、前記接合部における前記刃ホルダと前記枠の他端との間に設けられ、弾性力によって前記枠を前記柄側に押す係止用弾性手段と、前記枠が前記刃ホルダの一側部側に位置したときに、前記弾性力により前記刃ホルダの一側部側で前記枠を係止する第１の係止手段と、前記枠が前記刃ホルダの他側部側に位置したときに、前記弾性力により前記刃ホルダの他側部側で前記枠を係止する第２の係止手段とを備えるようにした。
【００１０】
本発明の請求項３では、前記刃ホルダは、第１のホルダ部と、該第１のホルダ部に連結する第２のホルダ部とで構成されており、前記刃は、前記第１のホルダ部と前記第２のホルダ部との間に着脱自在に設けられたものである。
【００１１】
本発明の請求項４では、前記第１の係止手段は、前記柄の先端に設けられており、前記刃に対して所定の角度で外方に延びる第１の溝部と、前記刃に対して前記第１の溝部と対称な角度で外方に延びる第２の溝部とで構成され、前記枠の他端には、前記第１及び第２の溝部に係止可能な係止突起部を備えるようにした。
【００１２】
本発明の請求項５では、前記刃ホルダは、前記第１のホルダ部にヒンジ部を介して前記第２のホルダ部が連結され、前記ヒンジ部を介して前記刃ホルダの一側部が開閉自在に構成されており、前記第１のホルダ部及び前記第２のホルダ部の間には、前記ヒンジ部と前記刃ホルダの他側部との間に弾性部材が配置され、該弾性部材の弾性力により前記第１のホルダと前記第２のホルダとの一側部で前記刃を挟持するようにした。
【００１３】
本発明の請求項６では、前記刃ホルダ及び前記接合部を有するホルダ部材と、該ホルダ部材を前記柄に対して回動自在に軸支する回動支持部とを備えるようにした。
【発明の効果】
【００１４】
本発明の請求項１によれば、枠により皮膚面を伸ばしながら引きそり及び押しそりを容易に行うができ、また、この枠を回動させても、枠が柄に当たることがないため、引きそり及び押しそりを行うときに枠が皮膚面と当たることのない刃ホルダの他側部まで確実に枠を回動できるので、刃ホルダの他側部に枠を位置させることにより、枠の角度調節や柄を握持する手を持ち替えることなく片手だけで引きそり及び押しそりを確実に行うことができ、かくして従来よりも一段と使い勝手を向上し得る。
【００１５】
本発明の請求項２によれば、使用者は弾性力を抗する力を与えるだけで、枠を第１の係止手段又は第２の係止手段から容易に係止解除でき、また、この状態で枠を回動させるだけで、枠を第１の係止手段又は第２の係止手段に対して容易に係止でき、かくして枠を一側部側又は他側部側に設置できる。
【００１６】
本発明の請求項３によれば、使用により刃先が痛んでも、刃を交換することができるので、かみそりの耐用期間を長くできる。
【００１７】
本発明の請求項４によれば、使用者は刃先に対する枠の位置を選択できることにより、引きそりや押しそり、或いは柄を握持する手に応じて長辺部と刃先とを同時に皮膚面に当たように最適な位置に枠を容易に設定できる。
【００１８】
本発明の請求項５によれば、使用者が指先で第１及び第２のホルダ部の他側部を押下し、弾性部材の弾性力を抗する力を与えることにより、刃ホルダの一側部を開状態とさせることができるので、容易に刃を交換できる。
【００１９】
本発明の請求項６によれば、枠を回動させてゆくことにより刃ホルダの他側部に当該枠を位置させ、この状態で刃先が柄側に位置するように回動支持部を介してホルダ部材を折り畳むことにより、刃先の露出を防止して使用者が誤って刃先に触れてしまうことを未然に防止でき、また、このような折畳状態のとき、枠の長辺部が刃ホルダの他側部よりも突出していることから使用者が長辺部を確実、かつ容易に把持でき、かくして当該長辺部を用いてホルダ部材を一段と容易に、かつ確実に折畳状態から展開させることができる。
【発明を実施するための最良の形態】
【００２０】
以下、本発明における好ましい実施例について、添付図面を参照しながら説明する。
（１）第１の実施の形態
図１において、１は全体として本発明による第１の実施の形態におけるかみそりを示し、当該かみそり１は、合成樹脂製でなる柄２の先端に接合部３を介して金属製でなる刃ホルダ４が取り付けられており、この刃ホルダ４の一側部4Aに板状の刃5が着脱自在に設けられている。
【００２１】
かかる構成に加えて、かみそり１には、棒体でなり、長辺部６と当該長辺部６の両端に一体成形された短辺部７及び８とによってほぼコ字状に形成された枠９が、刃ホルダ４と刃５の刃先10との全体を囲うように設けられている。
【００２２】
実際上、枠９は、一端の短辺部（以下、これを一端短辺部と呼ぶ）７先端が折り曲げられており、この先端が刃ホルダ４の先端11Aに設けられた枠受け部（後述する）に嵌め込まれ、これにより一端短辺部７が刃ホルダ４の先端11Aにおいて回動自在に設けられている。
【００２３】
また、枠９は、他端の短辺部（以下、これを他端短辺部と呼ぶ）８に係止突起部12と平面部13とが形成されており、この平面部13に穿設された貫通孔（図示せず）に接合部３が挿通され、これにより他端短辺部８が接合部３において回動自在に設けられている。
【００２４】
かくして、枠９は、一端短辺部７と他端短辺部８との間に設けられた長辺部６が刃先10の長手方向とほぼ平行な状態を維持しつつ刃ホルダ４と刃先10との周囲を回動し得るようになされている。
【００２５】
ここで、接合部３は、ほぼ円柱状の回動軸部15と、短円筒状で回動軸部15よりも径が大きい係止部16とによって構成されており、この回動軸部15の一端が刃ホルダ４の根元11Bに固着されている。
【００２６】
一方、回動軸部15の他端は、圧縮コイルばね17、平面部13の貫通孔及び係止部16の中心孔に挿通された後、柄２内部に設けられた支持部（図示せず）と一体成形されている。
【００２７】
ここで、係止用弾性手段としての圧縮コイルばね17は、その一端を刃ホルダ４の根元に押し当て、かつ、他端を枠９の一端の平面部13に押し当てた状態で設けられ、当該枠９を常に係止部16に接触させ得るように自然長が選定されている。
【００２８】
係止部16は、柄２に対して固定されており、図２に示すように、厚みを貫通するように穿設された中心孔16Bを中心に、全体してほぼＹ字状でなる第１、第２及び第３の溝部20、21及び22が、平面部13と当接する上面16Aに形成されている。
【００２９】
実際上、第１及び第２の溝部20及び21は、刃ホルダ４の一側部側4A（すなわち、刃先10前方付近）に設けられており、上面16Aよりも低く選定され、かつ傾斜面を有する仕切り部16Cによって仕切られている。
【００３０】
そして、第１の溝部20は刃５に対して所定の角度で外方に延びるように形成され、第２の溝部21は刃５に対して第１の溝部と対称な角度で外方に延びるように形成されている。
【００３１】
これに対して、第３の溝部22は、刃ホルダ４の他側部4B側に設けられており、刃５の短手方向とほぼ直線上の位置において外方に延びるように形成されている。
【００３２】
そして、他端短辺部８の下面に有する係止突起部12は、これら第１、第２及び第３の溝部20、21及び22に嵌め込み可能な形状を有する。
【００３３】
かくして、第１の溝部20は、圧縮コイルばね17の弾性力によって枠９の係止突起部12が嵌め込まれることにより、図３（Ａ）に示すように、長辺部６を刃先10にほぼ平行にさせつつ、刃先10よりも一方側に僅かにずれた第１の位置で当該長辺部６を支持し得る。
【００３４】
これに対して、第２の溝部21は、圧縮コイルばね17の弾性力によって枠９の係止突起部12が嵌め込まれることにより、図３（Ｂ）に示すように、長辺部６を刃先10にほぼ平行にさせつつ、刃先10よりも他方側に僅かにずれた第２の位置で当該長辺部６を支持し得る。
【００３５】
さらに、第３の溝部22は、圧縮コイルばね17の弾性力によって枠９の係止突起部12が嵌め込まれることにより、長辺部６を刃先10にほぼ平行にさせつつ、刃ホルダ４における他側部4B側の第３の位置で当該長辺部６を支持し得る（図１（Ｂ））。
【００３６】
ところで、回動軸部15の一端に取り付けられた刃ホルダ４は、図４（Ａ）及び（Ｂ）に示すように、第１のホルダ部25と第２のホルダ部26とで構成されており、第１のホルダ部25にヒンジ部27を介して第２のホルダ部26が連結され、刃ホルダ４の一側部4Aが開閉自在に構成されている。
【００３７】
図５（Ａ）及び（Ｂ）に示すように、実際上、第１のホルダ部25の内側には、長手方向に沿って一側部4A側に挟持面28を有し、この挟持面28の上方において先端11A側及び根元11B側にそれぞれ円柱状の軸部29が設けられている。
【００３８】
一方、図６に示すように、第２のホルダ部26の内側には、一側部4A側に挟持面30を有し、この挟持面30の上方において、先端11Aに枠９の一端短辺部７が嵌め込まれる枠受け部31を有するとともに、第１のホルダ部25の軸部29にそれぞれ対応する位置に円筒状のホルダ軸受け部32を有する。
【００３９】
これに加えて第２のホルダ部26の内側には、ホルダ軸受け部32よりも上方にばね押え板33と板ばね34とを有し、図７に示すように、このばね押え板33の間に僅かに湾曲した帯状の板ばね34が嵌め込まれることにより、当該板ばね34の中央部が湾曲状に突出し得るようになされている。
【００４０】
かくして、刃ホルダ４は、第２のホルダ部26のホルダ軸受け部32に第１のホルダ部25の軸部29がそれぞれ嵌め込まれることによりヒンジ部27を構成し、板ばね34の湾曲面が第１のホルダ部25の内側に押されることにより弾性力が生じ、この弾性力によって第１のホルダ部25の挟持面28と第２のホルダ部26の挟持面30とで刃５を挟持し得るようになされている。
【００４１】
因みに、第２のホルダ部26の挟持面30には、凸部36が形成されており、この凸部36に刃５の孔部（図示せず）を合わせて位置決めし得、これにより刃ホルダ４の一側部4Aから刃先10を所定量だけ確実に突出し得るようになされている。
【００４２】
以上の構成において、図８に示すように、枠９を用いて皮膚面ＳＫの毛Ｈを剃るとき、使用者は、柄２を握持し、枠２を第１又は第２の溝部20又は21のいずれかに係止させることにより刃先10前方付記に枠９の長辺部６を位置させ、この状態で、枠９の長辺部６と刃先10とを同時に皮膚面ＳＫに当てることにより、刃先10を皮膚面ＳＫに対して所定角度で当てることができる。
【００４３】
かくして、かみそり１は、この状態で、例えば引きそりが行われると、枠９によって皮膚面ＳＫを伸ばしながら当該皮膚面ＳＫの毛Ｈを刃先10で剃ることができ、かくして凹凸した皮膚面ＳＫであっても確実に毛Ｈだけを剃ることができる。
【００４４】
また、このとき、柄２を握持する側の手や、引きそり及び押しそりに応じて、枠９を第１又は第２の溝部20又は21に係止させることにより、長辺部６を刃先10に対して容易に所定角度に設定できるので、使用状況が変わっても長辺部６と刃先10とを同時に皮膚面ＳＫに確実に当てることができる。
【００４５】
そして、引きそり及び押しそりにおいて、刃先10に対し長辺部６が最適な位置になるように第１及び第２の溝部20及び21が予め形成されていることにより、引きそり及び押しそり、或いは柄２を握持する手に応じて刃先10に対する枠９の調節作業を行うことを省くことができ、かくして効率良く枠９を用いた引きそり及び押しそりを行うことができる。
【００４６】
さらに、枠９の長辺部６が刃先10前方付近に位置していることから、不使用時に使用者が刃先10に直接触れてしまうことを未然に防止できる。
【００４７】
これに対して、柄２を用いずに皮膚面ＳＫの毛Ｈを剃るとき、使用者は、第１又は第２の溝部20又は21に係止されている枠９を柄２から離れる方向へ押すことにより係止解除し、この状態で枠９を反転させ第３の溝部22まで回動させれば、弾性力により枠９を第３の溝部22に容易に係止できる。
【００４８】
かくして、かみそり1は、図４（Ａ）及び（Ｂ）に示したように、刃ホルダ4の他側部4B側に枠９を確実に位置させることができるため、使用者が引きそりを行うとき及びかみそり１を反転させて押しそりを行おうとするときに、枠９が皮膚面ＳＫに当たることがないので、枠９を気にせずに皮膚面ＳＫの毛Ｈを容易に剃ることができる。
【００４９】
そして、使用者は、柄９を握持した手の親指や人指し指で、枠９の他端短辺部８に対して柄２から離れる方向に容易に力を与えることができるので、片手だけで第１、第２又は第３の溝部20、21又は22に係止された他端短辺部８を係止解除でき、また、柄２を握持した手の親指や人指し指でそのまま枠９を容易に回動させることができるので、第１、第２又は第３の溝部20、21又は22のいずれに対しても他端短辺部８を片手だけで容易に係止させることができる。
【００５０】
また、この実施の形態の場合、第１の溝部20と第２の溝部21とを仕切る仕切り部16Cは、傾斜面を有し、その高さ寸法が比較的低く選定されていることから、例えば、第１の溝部20に係止突起部12が係止されている場合、長辺部６を皮膚面SKなどに押し当てて第２の溝部21側へ力を与えることにより、係止突起部12が仕切り部16Cを乗り越え、第２の溝部21に係止させることができる。
【００５１】
かくして、使用者は、枠９を柄２から離れる方向へ指で押し上げ係止突起部12を係止解除させる作業を行うことなく、長辺部６を第１又は第２の溝部20又は21のいずれかの位置に瞬時に変えることができる。
【００５２】
かくして、使用者は、枠９を用いた引きそりや押しそり、或いは枠９を用いない引きそりや押しそりなど所望の剃り方に応じて最適な位置に枠９を容易に位置決めできる。
【００５３】
そして、柄２と刃ホルダ４との間に枠９の他端短辺部８が設けられていることにより、柄２を握持した際に、この他端短辺部８を触れることで目視確認させることなく柄２と刃ホルダ４とを瞬時に区別させることができるので、使用者が柄２を握持する手を持ち替える際などに誤って刃先10に触れることを未然に防止できる。
【００５４】
以上の構成によれば、刃ホルダ４と接合部3とに枠９の一端短辺部７及び他端短辺部８をそれぞれ回動自在に設けるようにしたことにより、枠９を用いて皮膚面50を伸ばしながら引きそり及び押しそりを容易に行うができ、また、この枠９を回動させても、枠９が柄２に当たることがないため、引きそり及び押しそりを行うときに枠９が皮膚面ＳＫと当たることのない刃ホルダ４の他側部4Bまで枠９を確実に回動できるので、刃ホルダ４の他側部4Bに枠９を位置させることにより、枠９の角度調節や柄２を握持する手を持ち替えることなく片手だけで枠９を用いない引きそり及び押しそりを確実に行うことができ、かくして従来よりも一段と使い勝手を向上し得る。
【００５５】
また、接合部３において刃ホルダ４と枠９の他端短辺部８との間に圧縮コイルばね17を設け、この弾性力によって枠９を第１、第２又は第３の溝部20、21又は22のいずれかに係止するようにしたことにより、使用者は弾性力を抗する力を与えるだけで、枠９を第１、第２又は第３の溝部20、21又は22から容易に係止解除でき、また、この状態で枠９を回動させるだけで、枠９を第１、第２又は第３の溝部20、21又は22に対して容易に係止でき、かくして枠９を刃ホルダ４の一側部4A側又は他側部4B側に設置できる。
【００５６】
さらに、刃５を刃ホルダ４に着脱自在に設けたことにより、長年の使用により刃先10が痛んでも、刃５を交換することができるので、かみそり１の耐用期間を長くできる。
【００５７】
さらに、刃５に対して第１又は第２の溝部20又は21のいずれかで枠９を係止できるようにしたことにより、使用者は刃先10に対する枠９の角度位置を選択でき、これにより、引きそりや押しそり、或いは柄２を握持する手に応じて長辺部６と刃先10とを同時に皮膚面50に当たように最適な位置に枠９を容易に設定できる。また、使用者は枠９を柄２から離れる方向に押すだけで、枠９を容易に第１又は第２の溝部20又は21から係止解除でき、また、この状態で枠９を回動させるだけで、第１又は第２の溝部20又は21に枠９を容易に係止できる。
【００５８】
さらに、第１のホルダ部25にヒンジ部27を介して第２のホルダ部26が連結され、第１及び第２のホルダ部25及び26の他側部4B側に板ばね34を介在させたことにより、使用者が指先で第１及び第２のホルダ部25及び26の他側部4Bを押下し、板ばね34の弾性力を抗する力を与えることにより、刃ホルダ４の一側部4Aを開状態とさせることができるので、容易に刃を交換できる。
（２）第２の実施の形態
図１（Ａ）及び（Ｂ）との対応部分に同一符号を付して示す図９及び図１０において、50は全体として本発明による第２の実施の形態におけるかみそりを示し、回動支持部51を介して金属製のホルダ部材52がプラスチック製でなる柄53に対し折り畳み及び展開自在に軸支された構成を有する。なお、上述した第１の実施の形態と同一箇所については、その説明が重複するため、以下説明を省略する。
【００５９】
実際上、ホルダ部材52は、刃ホルダ４と接合部３と支持部54とにより構成されており、当該接合部３における係止部16が支持部54の一端側に固着されている。
【００６０】
支持部54は、その一端側で、かつ刃ホルダ４の一側部4A側と同側部側に湾曲部55が形成されており、この湾曲部55から他端部側にかけて凹凸状の滑り止め部56が形成されている。
【００６１】
柄53は、一端側に支持部54を介在させた状態で、第１の半体57aと第２の半体57bとの他端側の間隔保持部58a及び58bが嵌め合わされることにより構成され、この間隔保持部58a及び58bによって第１の半体57aの側面59aと第２の半体57bの側面59bとの間に所定間隔の隙間Gを形成し得るようになされている。
【００６２】
ここで、柄53は、その中央部付近に凹部60が形成されており、第１の半体57aの側面59aと第２の半体57bの側面59bとの間の厚み寸法が係合部16の径よりも小さくなるように選定されているとともに、隙間Gの寸法が支持部54の厚み寸法よりも大きく選定されている。
【００６３】
かくして、図１０に示したように、柄53は、枠９が第３の溝部22に係止された状態で、ホルダ部材52が回動支持部51を介して柄53側に折り畳まれることにより、凹部60に係止部16を当接させ、これによりホルダ部材52を位置決めさせる。かくして、柄53は、折畳状態のとき、刃先10を隙間G内に確実に収納させ得るとともに、長辺部６の長手方向が柄53の長手方向に対してほぼ平行になるようにホルダ部材52から長辺部６を突出させ得る。
【００６４】
ここで、回動支持部51は、ビス61と、このビス61を螺着するためのビス受け部62とで構成されており、第１及び第２の半体57a及び57bの間にホルダ部材52の支持部54を介在させた状態で、第１の半体57aの側面59a及び支持部54にそれぞれ穿設された貫通孔（図示せず）にビス61を挿通させた後、第２の半体57bの側面59bに設けられたビス受け部62にこのビス61がねじ込まれることにより、ホルダ部材52を柄53に対して回動自在に軸支し得るようになされている。
【００６５】
以上の構成において、第２の実施の形態によるかみそり50では、上述した第１の実施の形態と同様の効果を得ることができるとともに、かみそり50の不使用時、枠９を第３の溝部22に係止させた状態で、回転支持部51を介してホルダ部材52を柄53に対し折り畳むことにより刃先10を柄53の隙間G内に収納でき、かくして刃先10が露出することを防止できる。
【００６６】
このとき、枠９が第３の溝部22に係止された状態で折り畳まれることにより長辺部６を刃ホルダ４の他側部4Bから突出させることができ、かくしてホルダ部材52を展開するとき、使用者は、枠９の長辺部６を確実、かつ容易に握持することができるので、この長辺部６を用いて容易に刃先10を隙間Gから引き出すことができる。
【００６７】
因みに、かみそり50の使用時、回動支持部51を介してホルダ部材52と柄53との相対位置を調整することにより、柄53を握持しつつ引きそり及び押しそりし易い所望の位置に刃先10を自由に調節できる。
【００６８】
そして、第１の半体57aと第２の半体57bとをビス61で螺着するようにしたことにより、当該ビス61の締め付け強度を調整することができ、かくして柄53に対するホルダ部材52の取付強度を調整できる。
【００６９】
因みに、かみそり50においては、折畳状態にあるホルダ部材52を展開するとき、比較的滑り易い金属製の刃ホルダ４を直接把持して引くことがなく、指で確実に把持し易い棒状の長辺部６を引いてホルダ部材52を展開させるため、柄53に対するホルダ部材52の取付強度を強くさせた状態であっても、長辺部６を介して当該ホルダ部材52を確実、かつ容易に展開させることができる。
【００７０】
以上の構成によれば、枠９を回動させてゆくことにより刃ホルダ４の他側部4Bに当該枠９を位置させ、この状態で刃先10が柄53側に近づく方向へホルダ部材52を折り畳むことにより、刃先10の露出を防止して使用者が誤って刃先10に触れてしまうことを未然に防止でき、また、このような折畳状態のとき、枠９の長辺部６が刃ホルダ４の他側部4Bよりも突出していることから使用者が長辺部６を確実、かつ容易に把持でき、かくして当該長辺部６を用いてホルダ部材52を一段と容易に、かつ確実に折畳状態から展開させることができる。
【００７１】
なお、上述した第２の実施の形態においては、枠９を第３の溝部22に係止させた状態でホルダ部材42を折り畳むようにした場合について述べたが、本発明はこれに限らず、枠９を第１又は第２の溝部20又は21に係止させた状態でホルダ部材52を折り畳むようにしても良く、この場合、枠９が第１又は第２の溝部20又は21に係止させた状態でこの枠９と刃先10とが隙間G内に収納されるように隙間Gの大きさを選定すれば良い。
【００７２】
このように、折畳状態においても枠９の長辺部６が刃先10前方付近に位置させておくことができるので、何らかの理由によって折畳状態からホルダ部材52が展開されても使用者が刃先10に直接触れてしまうことを未然に防止できる。
（３）他の実施の形態
なお、上述した第１及び第２の実施の形態においては、弾性部材として、ばね押え板33の間に僅かに湾曲した帯状の板ばね34を嵌め込み、これにより刃ホルダ４の一側部4Aで刃５を挟持するようにした場合について述べたが、本発明はこれに限らず、図６との対応部分に同一符号を付して示す図１１（Ａ）及び（Ｂ）のように、帯状部材をほぼＣ字状に折り曲げて形成した板ばね101を、第２のホルダ部100の内側に一方を固定具102により固定し、これにより刃ホルダ４の一側部4Aで刃５を挟持するようにしても良く、この他種々の弾性部材を用いるようにして良い。
【００７３】
また、上述した第１及び第２の実施の形態においては、係止部16を柄２又は53の先端に設けるようにした場合について述べたが、本発明はこれに限らず、係止部16を刃ホルダ４の先端11Aに設けるようにしても良く、この場合でも、枠９を第１、第２及び第３の溝部20、21及び22に係止できるので上述した実施例と同様の効果を得ることができる。
【図面の簡単な説明】
【００７４】
【図１】本発明における第１の実施の形態によるかみそりの全体構成を示す略線図である。
【図２】係止部の全体構成を示す略線的斜視図である。
【図３】第１及び第２の溝部に枠が係止されたときの長辺部と刃先との位置関係を示す略線図である。
【図４】刃ホルダに刃を着脱するときの様子を示す正面図である。
【図５】第１のホルダ部の構成を示す略線図である。
【図６】第２のホルダ部の構成を示す略線図である。
【図７】ばね押え板に板ばね34が嵌め込まれた様子を示す略線図である。
【図８】枠を用いて刃先で皮膚面の毛を剃るときの様子を示す略線図である。
【図９】本発明における第２の実施の形態によるかみそりの展開時の全体構成を示す略線的斜視図である。
【図１０】本発明における第２の実施の形態によるかみそりの折畳時の全体構成を示す略線図である。
【図１１】他の実施の形態における第２のホルダ部の構成を示す略線図である。
【符号の説明】
【００７５】
１  50  かみそり
２  53  柄
３  接合部
４  刃ホルダ
６  長辺部
７  一端短辺部
８  他端短辺部
９  枠
20  第１の溝部（第１の係止手段）
21  第２の溝部（第１の係止手段）
22  第３の溝部（第２の係止手段）
25  第１のホルダ部
26  第２のホルダ部
52  ホルダ部材
51  回転支持部
【図１】
2006130025.tif 000003
【図２】
2006130025.tif 000004
【図３】
2006130025.tif 000005
【図４】
2006130025.tif 000006
【図５】
2006130025.tif 000007
【図６】
2006130025.tif 000008
【図７】
2006130025.tif 000009
【図８】
2006130025.tif 000010
【図９】
2006130025.tif 000011
【図１０】
2006130025.tif 000012
【図１１】
2006130025.tif 000013